(57)【要約】【課題】  照明装置が可及的に目立ち難くでき、商品等の展示物を目視する際の妨げとならないことを課題とする。【解決手段】  商品等の展示物５が目視可能に収容されるケース本体２０内に、前記展示物５を照らすＬＥＤ４２を有する照明装置３０が、ケース本体の辺部に沿って設けられている。照明装置３０は、複数個のＬＥＤ４２が配置される基板４１と、該基板４１が取り付けられるフレ−ム４７とを備え、該フレ−ムには、設置時に所定方向からＬＥＤが目視できないようにする被覆部３６ｃ、４８ｃが設けられている。【選択図】  図１
2006230896.tif 000002
【特許請求の範囲】
【請求項１】
商品等の展示物が目視可能に収容されるケース本体内に、前記展示物を照らす光源を有する照明装置が備えられたショーケースの照明構造において、前記照明装置は、ケース本体の互いに隣接する面により形成される辺部に沿って設けられたことを特徴とするショーケースの照明構造。
【請求項２】
前記照明装置は、複数個のＬＥＤと、該ＬＥＤが配置される基板と、該基板が取り付けられるフレ−ムとを有する照明ユニットを備え、ケース本体に取り付けられる照明ユニットのフレ−ムには、ＬＥＤを前方で且つ上方から目視できないようにする被覆部が設けられている請求項１に記載のショーケースの照明構造。
【請求項３】
前記ケース本体は、前後壁、天壁および左右の両側壁を備え、前記照明装置は、ケース本体の前部に設けられた第１照明ユニットと、後部に設けられた第２照明ユニットから構成され、前記第１照明ユニットのフレ−ムの天壁部分の幅長は、フレ−ムの前壁部分の幅長よりも小さく設定されている請求項１又は２に記載のショーケースの照明構造。
【請求項４】
前記ケース本体は、前後壁、天壁および左右の両側壁を備え、前記第１照明ユニットのＬＥＤは、天壁側と前壁側とで形成される辺部と、前壁側と両側壁側とで形成される辺部とに設けられ、前記第２照明ユニットのＬＥＤは、天壁側と後壁側とで形成される辺部と、後壁側と両側壁側とで形成される辺部とに設けられた請求項３に記載のショーケースの照明構造。
【請求項５】
複数個のＬＥＤと、該ＬＥＤが配置される基板と、該基板が取り付けられるフレ−ムとを備え、該フレ−ムには、設置時に所定方向からＬＥＤが目視できないようにする被覆部が設けられていることを特徴とする照明ユニット。
【請求項６】
複数個のＬＥＤと、該ＬＥＤが配置される基板と、該基板が取り付けられるフレ−ムとを備え、該フレ−ムには冷却通路が形成されていることを特徴とする照明ユニット。
【発明の詳細な説明】
【技術分野】
【０００１】
本発明は、商品等を展示等するショーケースの照明構造および照明ユニットに関する。
【背景技術】
【０００２】
ショーケースは、箱型のケース本体内部に設けられた展示空間に、様々な商品等を展示するものであり、それぞれの商品が持つ質感や魅力的な特徴を、それを見ている消費者に十分に伝えることが重要である。そこで、ショーケースには展示された商品を効果的に照らす照明装置が設けられている（例えば、特許文献１参照）。
【特許文献１】特開２００２−１６８０６２号公報
【発明の開示】
【発明が解決しようとする課題】
【０００３】
前記照明装置は、ケース本体の任意の位置に設けられたスポットライトであるため、ケース本体内部で目立ち易く体裁が悪くなるという問題があった。また、照明装置は商品を目視する際の妨げとならないようにする必要もある。
【０００４】
本発明は、照明装置が可及的に目立ち難くでき、商品等の展示物を目視する際の妨げとならないようにすることを第１の課題とする。また、本発明は、照明装置が展示物を略均等の明るさで照らすことができることを第２の課題とする。
【課題を解決するための手段】
【０００５】
本発明は、前記課題を解決するためにショーケースの照明構造および照明ユニットとしてなされたもので、ショーケースの照明構造としての特徴は、商品等の展示物が目視可能に収容されるケース本体内に、前記展示物を照らす光源を有する照明装置が備えられたショーケースの照明構造において、前記照明装置は、ケース本体の互いに隣接する面により形成される辺部に沿って設けられたことことにある。
【０００６】
そして、前記照明装置をケース本体の辺部に沿って設けることにより、照明装置が可及的に目立ち難くでき、商品等の展示物を目視する際の妨げとならないようにできる。また、光源を辺部に沿って設けることにより、光源の光を広い範囲から略均等に照射することが可能となる。
【０００７】
本発明は、複数個のＬＥＤと、該ＬＥＤが配置される基板と、該基板が取り付けられるフレ−ムとを有する照明ユニットを備え、ケース本体に取り付けられる照明ユニットのフレ−ムには、ＬＥＤを前方で且つ上方から目視できないようにする被覆部が設けられている。
【０００８】
本発明の前記ケース本体は、前後壁、天壁および左右の両側壁を備え、前記照明装置は、ケース本体の前部に設けられた第１照明ユニットと、後部に設けられた第２照明ユニットから構成され、前記第１照明ユニットのフレ−ムの天壁部分の幅長は、フレ−ムの前壁部分の幅長よりも小さく設定されているのが好ましい。
【０００９】
本発明に係る前記第１照明ユニットのＬＥＤは、天壁側と前壁側とで形成される辺部と、前壁側と両側壁側とで形成される辺部とに設けられ、前記第２照明ユニットのＬＥＤは、天壁側と後壁側とで形成される辺部と、後壁側と両側壁側とで形成される辺部とに設けられたことにある。
【００１０】
本発明の照明ユニットは、複数個のＬＥＤと、該ＬＥＤが配置される基板と、該基板が取り付けられるフレ−ムとを備え、該フレ−ムには、設置時に所定方向からＬＥＤが目視できないようにする被覆部が設けられていることにある。
【００１１】
本発明の照明ユニットは、複数個のＬＥＤと、該ＬＥＤが配置される基板と、該基板が取り付けられるフレ−ムとを備え、該フレ−ムには冷却通路が形成されていることにある。
【発明の効果】
【００１２】
本発明は、照明装置が目立ち難くなり、商品等の展示物を目視する際の妨げとなるのを防止できる。また、本発明は、照明装置が展示物を略均等の明るさで照らすことができる。
【発明を実施するための最良の形態】
【００１３】
本発明の実施の形態について、図面を参照しながら説明する。図１〜図７は本発明の一実施の形態を示し、図１は本実施の形態のショーケースの要部を示す断面側面図、図２は同全体を示す断面側面図、図３はショーケースの全体斜視図である。
【００１４】
ショーケース１は、架台１０と、この架台１０上に設けられたケース本体２０とを備えている。このケース本体２０は、後部フレーム２１、前後壁２２、２３、天壁２４および左右の両側壁２５，２６とを備えている。なお、前後壁２２、２３、天壁２４および左右の両側壁２５，２６は、例えば透明のガラス板または合成樹脂板から形成されている。
【００１５】
後部フレーム２１は、前記架台２０の後部に載置され、上下フレーム部２１ａ、２１ｂと、左右一対の縦フレーム部２１ｃ、２１ｄとからなる。そして、上下フレーム部２１ａ、２１ｂ間に後壁としての一対の開閉扉２３が移動自在に設けられている。
【００１６】
天壁２４および両側壁２５，２６のそれぞれの後端部は、後部フレーム２１に固定され、ここに、ケース本体２０内には、架台１０の上面（載置面）との間で展示空間３が形成されている。ここで、互いに隣接する天壁２４と前壁２２とで左右方向の辺部７ａが形成されている。前壁２２と両側壁２５，２６とで縦方向の辺部７ｂ、７ｃが形成されている。後部フレーム２１の上フレーム部２１ａ（天壁２４側と後壁２３側）で左右方向の辺部７ｄが形成されている。後部フレーム２１の縦フレーム部２１ｃ、２１ｄ（後壁２３側と両側壁２５，２６側）縦方向の辺部７ｅ、７ｆが形成されている。
【００１７】
前記ケース本体２０内には、展示空間３内に展示された展示物としての商品５を照らす照明装置３０が設けられている。かかる照明装置３０は、ケース本体２０の前部に設けられる第１照明ユニット３１と、ケース本体２０の後部に設けられる第２照明ユニット３２とから構成されている。
【００１８】
第１照明ユニット３１は、真鍮、アルミ材等の放熱性の良好な金属板材から形成されたフレームとしての前部ダクト体３４と、この前部ダクト体３４に取り付けられた複数個の光源モジュール（ＬＥＤモジュール）４０から構成されている。前部ダクト体３４は、正面視門型を呈し、３つの辺部７ａ、７ｂ、７ｂ（天壁２４から両側壁２５，２６の下端）にわたって連続して設けられ、図４（ａ）に示すように、断面視コの字状の第１フレーム部３６と、この第１フレーム部３６に対向するように固定された第２フレーム部３７とからなる。
【００１９】
第１フレーム部３６は、前壁２２の内面に固定される基片部３６ａと、この基片部３６ａの一端から延設され天壁２４の内面に固定される内向きの外周片部３６ｂと、基片部３６ａの他端から外周片部３６ｂと平行に延設された内周片部３６ｃとを備えている。なお、内周片部３６ｃの幅長Ｌ１は、外周片部３６ｂの幅長Ｌ２よりも短く設定されている。また、外周片部３６ｂの幅長Ｌ２は、基片部３６ａの幅長Ｌ３よりも短く設定されている。
【００２０】
第２フレーム部３７は、前記第１フレーム部３６の基片部３６ａと所定の間隔を有する基片部３７ａと、この基片部３７ａの一端から延設され前記外周片部３６ｂの内面に固定される外向きの外周片部３７ｂと、基片部３７ａの他端から傾斜して延設された傾斜片部３７ｃとを備えている。傾斜片部３７ｃの先端は、第１フレーム部３６の基片部３６ａに密着しており、基片部３７ａに対する傾斜片部３７ｃの角度α１は、４５°以上、７０°以下に設定され、好ましくは、略６０°に設定されている。第１フレーム部３６と第２フレーム部３７との間には、ダクト体３４の全長にわたって冷却通路３９が形成されている。
【００２１】
ＬＥＤモジュール４０は、図５（ａ）および（ｂ）に示すように、基板４１に複数個のＬＥＤ（発光ダイオード）４２が所定の間隔をおいて配置されたものである。基板４１は放熱性の良好なアルミ基板が採用され、この基板４１に一対の電源送り用の配線パターン４３、４４が設けられている。そして、一方の配線パターン４３から他方の配線パターン４４にわたって複数個（例えば６個）のＬＥＤ４２が接続されている（例えば、直列に接続されている）。また、各ＬＥＤ４２間や、ＬＥＤ４２と配線パターン４３、４４との間には、電流調整用の抵抗４５がそれぞれ接続されている。抵抗４５は、各ＬＥＤ４２間であっても、任意の個数ごとに設けてもよい。このように、抵抗４５を複数個に分割することにより、抵抗による発熱を分散でき、また、抵抗４５を基板４１に設けることにより、抵抗４５の熱を基板４１から放熱でき、抵抗４５等の破損等を防止できる。
【００２２】
各ＬＥＤモジュール４０の基板４１は、前記第２フレーム部３７の傾斜片部３７ｃの外面に固定され、各ＬＥＤ４２は、ケース本体２０の前部の３辺部７ａ、７ｂ、７ｃに斜め内側向きに配置される。また、ＬＥＤモジュール４０は前部ダクト体３４内に収容されている。内周片部３６ｃの幅長Ｌ１は、外周片部３６ｂの幅長Ｌ２よりも短く設定されていることから、各ＬＥＤ４２からの光の照射を遮ることはなく、内周片部３６ｃは、各ＬＥＤ４２が前方から目視し難くなる被覆部として機能する。
【００２３】
各ＬＥＤモジュール４０間は、リード線４６で接続されている。各ＬＥＤモジュール４０は、配線パターン４３、４４が基板４１上に設けられているため、リード線４６が最小で済み、ＬＥＤモジュール４０間の連結が容易になるとともに、外観もすっきりする。
【００２４】
前記第２照明ユニット３２は、真鍮、アルミ板材等の放熱性の良好な金属板材から形成された後部フレームとしての後部ダクト体４７と、この後部ダクト体４７に取り付けられたＬＥＤモジュール４０から構成されている。なお、第２照明ユニット３２のＬＥＤモジュール４０は、前記第１照明ユニットのＬＥＤモジュール４０と同一構成であるため、同一符号を付して詳細な説明は省略する。
【００２５】
後部ダクト体４７は、図４（ｂ）に示すように断面視コの字状の第１フレーム部４８と、この第１フレーム部４８に対向するように固定された第２フレーム部４９とからなる。第１フレーム部４８は、天壁２４の内面に固定される基片部４８ａと、この基片部４８ａの一端から延設され後部フレーム２１の内面に固定される内向きの外側片部４８ｂと、基片部４８ａの他端から外周片部４８ｂと平行に延設された内側片部４８ｃとを備えている。なお、内側片部４８ｃの幅長Ｌ４は、外側片部４８ｂの幅長Ｌ５よりも短く設定されている。また、外側片部４８ｂの幅長Ｌ５は、基片部４８ａの幅長Ｌ６よりも短く設定されている。
【００２６】
第２フレーム部４９は、前記基片部４８ａと所定の間隔を有する基片部４９ａと、この基片部４９ａの一端から延設され前記外側片部４８ｂの内面に固定される外側片部４９ｂと、基片部４９ａの他端から傾斜して延設された傾斜片部４９ｃとを備えている。なお、傾斜片部４９ｃの先端は、第１フレーム部４８の基片部４８ａの一端部側に密着しており、基片部４９ａに対する傾斜片部４９ｃの角度α２は、３０°以上、６０°以下に設定され、好ましくは、略４５°に設定されている。
【００２７】
第１フレーム部４８と第２フレーム部４９との間には、全長にわたって冷却通路５０が形成されている。ＬＥＤモジュール４０の基板４１は、前記第２フレーム部４９の傾斜片部４９ｃの外面に固定されている。従って、各ＬＥＤ４２は、後部ダクト体４７に収容された状態で、ケース本体２０の後部の３辺部７ｄ、７ｅ、７ｆに斜め内側向きに配置される。また、内側片部４８ｃの幅長Ｌ４は、外側片部４８ｂの幅長Ｌ５よりも短く設定されているので、各ＬＥＤ４２からの光の照射を遮ることはなく、内側片部４８ｃは、各ＬＥＤ４２が前方上方から目視し難くなる被覆部として機能する。
【００２８】
前記前部ダクト体３４および後部ダクト体４７の各冷却通路３９、５０の両端は、図６に示すように、配管またはホース等の接続手段５３を介して架台１０の内部に設けられた冷却装置５５に接続されている。この冷却装置５５は、例えば冷媒として空気等の気体を使用した場合には、空気等を循環して送風する送風機を備えている。また、冷媒が油や水等の液体の場合には、液体タンクとポンプとを備えている。
【００２９】
以上の構成からなる本実施の形態のショーケース１は、ケース本体２０の展示空間３内に適宜商品５が展示され、その際に、照明装置３０の第１照明ユニット３１および第２照明ユニット３２が展示品５を照らす。具体的には、第１照明ユニット３１のＬＥＤモジュール４０は、ケース本体２０前方の上部および両側の３辺全体から照明光をショーケース１の中央側に照射する。また、第２照明ユニット３２のＬＥＤモジュール４０は、ケース本体２０後方の上部および両側の３辺全体から照明光をショーケース１の中央側に照射する。この結果、照明装置３０は、商品５を略均等の明るさで照らすことができる。
【００３０】
しかも、図７示すように消費者は、ショーケース１の前方に立った状態で、その展示された商品５を目視する場合、第１照明ユニット３１は、ケース本体２０の３辺部７ａ、７ｂ、７ｃに設けられており、しかも、外周片部３６ｂの幅長Ｌ２を、基片部３６ａの幅長Ｌ３よりも短く設定して第１照明ユニット３１の視界に入りやすい部分の面積を小さくしているため、消費者からは第１照明ユニット３１が視界に入り難く、商品５を目視する際の支障となることはほとんどない。しかも、第１照明ユニット３１および第２照明ユニット３２の各ＬＥＤ４２は、内周片部３６ｃおよび内側片部４８ｃが被覆部として機能するため、内周片部３６ｃおよび内側片部４８ｃに遮られて、消費者から目視できないようになっている。
【００３１】
また、ＬＥＤ４２を光源とした際には、ＬＥＤ４２の商品５への照射温度は低いが、特に基板４１が加熱されることになる。ＬＥＤモジュール４０が許容温度以上になると、ＬＥＤ４２の明るさが低下するとともに、ＬＥＤ４２が破損する原因にもなる。また。ＬＥＤ４２が所定の明るさを得るためには、過剰な電流を流す必要がある。
【００３２】
本実施の形態は、前部ダクト体３４および後部ダクト体４７に冷却通路３９、５０を設け、その両端を接続手段５３を介して冷却装置５５に接続している。従って、冷却装置５５を作動させて、冷却通路３９、５０内に冷媒を循環させることにより、抵抗による発熱を分散させたことと相まって、ＬＥＤモジュール４０を所定の温度まで強制的に効果的に冷却でき、過剰な電流を流すことなくＬＥＤを所定の明るさに維持でき、ＬＥＤや抵抗等の構成部品の寿命も長くなる。なお、冷却装置５５は、常時作動させても、あるいはセンサでＬＥＤモジュール４０の温度を検出し、適宜作動させるようにしてもよい。
【００３３】
本発明は前記の実施の形態に限定されるものではない。例えば、ＬＥＤモジュール４０は、連続的に設けたが、所定の間隔をおいて断続的に設けることも可能である。また。ケース本体２０の任意の一辺部に設けることも可能である。
【００３４】
また、前記実施の形態のケース本体２０は、後部フレーム２１を使用したが、後部フレーム２１は必ずしも必要ではなく、天壁２４および左右の両側壁２５，２６を後壁２３に直接固定してもよい。
【００３５】
また、ＬＥＤモジュール４０を冷却する手段として冷却装置５５を採用したが、冷却装置５５を設けることなく、前部ダクト体３４および後部ダクト体４７の冷却通路３９、５０内を空気が自然に循環することにより、ＬＥＤモジュール４０を冷却することも可能である。しかも、光源はＬＥＤモジュールに限定されるものではなく、ケース本体２０の辺部に沿って設けられる細管状の蛍光管等であってもよい。
【００３６】
しかも、前記前部ダクト体３４の傾斜片部３７ｃの角度α１と、後部ダクト体４７の傾斜片部４９ｃと角度α２とを同等に設定し、且つ各辺部の幅長を同等に設定することにより、同一のフレームから、前部ダクト体３４と後部ダクト体４７とを製作することができる。
【図面の簡単な説明】
【００３７】
【図１】本発明のショーケースの照明構造の要部を示す断面側面図である。
【図２】同全体を示す断面側面図である。
【図３】同全体を示す一部破断を含む斜視図である。
【図４】本発明の照明ユニットを示し、（ａ）は第１照明ユニットの断面図、（ｂ）は第２照明ユニットの断面図である。
【図５】（ａ）は本発明の照明ユニットに係る光源ユニットの平面図、（ｂ）は光源ユニットのＬＥＤユニットの概略平面図である。
【図６】ショーケースの冷却構成を示す斜視図である。
【図７】ショーケースの使用状態を示す図である。
【符号の説明】
【００３８】
５        商品（展示物）
７ａ、７ｂ、７ｃ、７ｄ、７ｅ、７ｆ    辺部
２０      ケース本体
２２      前壁
２３      開閉扉（後壁）
２４      天壁
２５，２６    両側壁
３０      照明装置
３１      第１照明ユニット（照明ユニット）
３２      第２照明ユニット（照明ユニット）
３４      ダクト体（フレ−ム）
３６ｃ    被覆部（内周片部）
３９      冷却通路
４１      基板
４２      ＬＥＤ（光源）
４７      ダクト体（フレ−ム）
４８ｃ    被覆部（内側片部）
５０      冷却通路
【図１】
2006230896.tif 000003
【図２】
2006230896.tif 000004
【図３】
2006230896.tif 000005
【図４】
2006230896.tif 000006
【図５】
2006230896.tif 000007
【図６】
2006230896.tif 000008
【図７】
2006230896.tif 000009